(57)【要約】【課題】  印刷前にプレビューした画像の態様を変更し、所望の期待した印刷態様が得られるようにする。【解決手段】  画像表示部７は画像データを複数のブロック領域に対応付けて表示する。画像選択部９は、表示された任意のブロック領域の選択と、選択されたブロック領域に対応する画像データの画像態様の変更選択とを受付ける。画像処理部１１は、選択されたブロック領域に対応する画像データの画像態様を変更処理して画像表示部７に表示する。画像選択部１１は、画像表示部７に表示された変更画像データが確定選択されたとき、画像態様の変更された当該変更画像データでもって変更前の画像データ部分を置換える。【選択図】  図１
2008172666.tif 000002
【特許請求の範囲】
【請求項１】
画像データを複数のブロック領域に対応付けて表示する画像表示部と、
表示された前記ブロック領域中の任意の前記ブロック領域の選択と、選択された前記ブロック領域に対応する前記画像データの画像態様の変更選択とを受付ける画像選択部と、
選択された前記ブロック領域に対応する前記画像データに対して選択された前記画像態様に変更処理するとともに変更画像データを前記画像表示部に表示する画像処理部と、
を具備し、
前記画像選択部は、前記画像表示部に表示された前記変更画像データが確定選択されたとき、当該変更画像データでもって変更前の前記画像データ部分を置換えることを特徴とする画像形成装置。
【請求項２】
前記画像表示部は選択された前記ブロック領域を拡大表示し、前記画像選択部は拡大表示された前記ブロック領域に対応する前記画像データの前記画像態様の変更選択を受付ける請求項１記載の画像形成装置。
【請求項３】
前記画像選択部は前記画像態様の変更選択として色変更の選択が受付け可能に形成され、前記画像処理部は前記色変更の処理を行う請求項１又は２記載の画像形成装置。
【請求項４】
前記画像選択部は前記画像態様の変更選択として大きさ変更の選択が受付け可能に形成され、前記画像処理部は前記大きさ変更の処理を行う請求項１〜３いずれか１記載の画像形成装置。
【請求項５】
前記画像処理部は、表示された前記変更画像データに対する前記画像選択部による前記画像態様の再選択に基づき、前記画像態様の再変更を処理する請求項１〜４いずれか１記載の画像形成装置。
【請求項６】
前記画像選択部は前記画像表示部を兼ねる請求項１〜５いずれか１記載の画像形成装置。
【請求項７】
前記画像処理部は、選択された前記ブロック領域中の境界ブロックに対応する前記画像データの態様変更を、選択された他の前記ブロック領域に対応する前記画像データ態様と、選択されない前記ブロック領域に対応する前記画像データ態様との間の態様に変更する請求項１〜６いずれか１記載の画像形成装置。
【請求項８】
画像データについて複数のブロック領域に対応付けられた前記画像データの画像態様を変更処理する画像処理用コンピュータに、
前記画像データを複数のブロック領域に対応付けて表示する画像表示処理と、
表示された前記ブロック領域中の任意の前記ブロック領域の選択と、選択された前記ブロック領域に対応する前記画像データの画像態様の変更選択とを受付ける画像選択処理と、
選択された前記ブロック領域に対応する前記画像データに対し、選択された前記画像態様に変更処理し、この変更画像データを表示する画像処理と、
表示された前記変更画像データが確定選択されたとき、画像態様の変更された当該画像データでもって変更前の前記画像データ部分を置換える画像置換処理と、
を実行させることを特徴とする画像形成プログラム。
【請求項９】
前記画像表示処理は選択された前記ブロック領域を拡大表示し、前記画像選択処理は拡大表示された前記ブロック領域に対応する前記画像データの前記画像態様の変更選択を受付ける請求項８記載の画像形成プログラム。
【請求項１０】
前記画像選択処理は前記画像態様の変更選択として色変更の選択受付けを実行し、前記画像処理は前記色変更処理を実行する請求項８又は９記載の画像形成プログラム。
【請求項１１】
前記画像選択処理は前記画像態様の変更選択として大きさ変更の選択受付けを実行し、前記画像処理は前記大きさ変更処理を実行する請求項８〜１０いずれか１記載の画像形成プログラム。
【請求項１２】
前記画像処理は、表示された前記変更画像データに対する前記画像選択処理による前記画像態様の再選択に基づき、前記画像態様の再変更処理を実行する請求項８〜１１いずれか１記載の画像形成プログラム。
【請求項１３】
前記画像処理は、選択された前記ブロック領域中の境界ブロックに対応する前記画像データの態様変更を、選択された他の前記ブロック領域に対応する前記画像データ態様と、選択されない前記ブロック領域に対応する前記画像データ態様との間の態様に変更する処理を実行する請求項８〜１２いずれか１記載の画像形成プログラム。
【発明の詳細な説明】
【技術分野】
【０００１】
本発明は画像形成装置および画像形成プログラムに係り、画像形成前に画像を表示確認できるプレビュー機能を搭載した例えば複写機又はこの機能を有する複合機（ＭＦＰ：Multi Function Peripheral）等に用いて好適する画像形成装置および画像形成プログラムに関する。
【背景技術】
【０００２】
近年、複写機や複合機においては、画像データをプレビュー表示、確認してから印刷処理できる機能を搭載し、印刷された態様が期待した画像にならないといった印刷ミスを回避できるような構成が提供されるようになっている。
【０００３】
例えば、特開２０００−３２４３３３号公報（特許文献１）もこの種のものである。
【０００４】
この特許文献１は、第１の原稿の抽出領域を決定する第１の領域決定ステップと、プレビューの指示によりその第１の原稿の画像を読み取る第１の読取ステップと、その第１の読取ステップで読み取られた第１の原稿の抽出領域の画像を表示する第１の表示ステップと、その第１の原稿の抽出領域の画像がはめ込まれるべき第２の原稿のはめ込み領域を決定する第２の決定ステップと、プレビューの指示によりその第２の原稿の画像を読み取る第２の読取ステップと、その第１の原稿の抽出領域の画像がはめ込まれた第２の原稿のはめ込み合成結果を表示する第２の表示ステップとを有し、最終画像を効率良く確認でき、精度良く処理画像の調整を行え、ミスコピーを極力減少させることを可能にしたものである。
【特許文献１】特開２０００−３２４３３３号公報
【発明の開示】
【発明が解決しようとする課題】
【０００５】
しかしながら、上述した特許文献１は、画像データ中の加工処理したい第１の領域の抽出や、この抽出された第１の領域のはめ込まれる第２の原稿中のはめ込み領域の決定に、いわゆるデジタイザーや座標入力ペン等の入出力装置を必要とするもので、構成が複雑となり易くてコストアップを招き易いうえ、操作手順も煩雑となり易い難点がある。
【０００６】
本発明はそのような課題を解決するためになされたもので、簡単な構成により、印刷前に画像をプレビューして態様を変更し、期待した印刷態様を得ることが可能な画像形成装置および画像形成プログラムの提供を目的とする。
【課題を解決するための手段】
【０００７】
そのような課題を解決するために本発明に係る画像形成装置は、画像データを複数のブロック領域に対応付けて表示する画像表示部と、表示されたブロック領域中の任意のブロック領域の選択と、選択されたそのブロック領域に対応する画像データの画像態様の変更選択とを受付ける画像選択部と、選択されたブロック領域に対応する画像データに対して選択された画像態様に変更処理するとともに変更画像データをその画像表示部に表示する画像処理部とを具備し、上記画像選択部はその画像表示部に表示された変更画像データが確定選択されたとき、当該変更画像データでもって変更前の画像データ部分を置換え制御する構成を有している。
【０００８】
本発明の画像形成装置では、上記画像表示部が、選択されたブロック領域を拡大表示し、上記画像選択部が、拡大表示されたブロック領域に対応するその画像データの画像態様の変更選択を受付ける構成も可能である。
【０００９】
本発明の画像形成装置では、上記画像選択部がその画像態様の変更選択として色変更の選択が受付け可能に形成され、上記画像処理部がその色変更の処理を行う構成も可能である。
【００１０】
本発明の画像形成装置では、上記画像選択部がその画像態様の変更選択として大きさ変更の選択が受付け可能に形成され、上記画像処理部がその大きさ変更の処理を行う構成も可能である。
【００１１】
本発明の画像形成装置では、上記画像処理部が、表示された変更画像データに対するその画像選択部によるその画像態様の再選択に基づき当該画像態様の再変更を処理する構成も可能である。
【００１２】
本発明の画像形成装置では、上画像選択部がその画像表示部を兼ねる構成も可能である。
【００１３】
本発明の画像形成装置では、上記画像処理部が、選択されたそのブロック領域中の境界ブロックに対応する画像データの態様変更を、選択された他のブロック領域に対応する画像データ態様と、選択されないブロック領域に対応する画像データ態様との間の態様に変更する構成も可能である。
【００１４】
そして、本発明に係る画像形成プログラムは、画像データについて複数のブロック領域に対応付けられた前記画像データの画像態様を変更処理する画像処理用コンピュータに、その画像データを複数のブロック領域に対応付けて表示する画像表示処理と、表示された前記ブロック領域中の任意のブロック領域の選択と、選択されたそのブロック領域に対応する前記画像データの画像態様の変更選択とを受付ける画像選択処理と、選択されたそのブロック領域に対応する画像データに対し選択された画像態様に変更処理し、変更画像データを表示する画像処理と、表示された変更画像データが確定選択されたとき画像態様の変更された当該画像データでもって変更前の画像データ部分を置換える画像置換処理とを実行させるものである。
【００１５】
本発明の画像形成プログラムでは、上記画像表示処理が、選択されたブロック領域を拡大表示し、上記画像選択処理が、拡大表示されたブロック領域に対応する画像データの画像態様の変更選択を受付ける構成も可能である。
【００１６】
本発明の画像形成プログラムでは、上記画像選択処理がその画像態様の変更選択として色変更の選択受付けを実行し、上記画像処理がその色変更処理を実行する構成も可能である。
【００１７】
本発明の画像形成プログラムでは、上記画像選択処理がその記画像態様の変更選択として大きさ変更の選択受付けを実行し、上記画像処理がその大きさ変更処理を実行する構成も可能である。
【００１８】
本発明の画像形成プログラムでは、上記画像処理が、表示された変更画像データに対するその画像選択部による画像態様の再選択に基づき、画像態様の再変更処理を実行する構成も可能である。
【００１９】
本発明の画像形成プログラムでは、上記画像処理が、選択されたブロック領域中の境界ブロックに対応する画像データの態様変更を、選択された他のブロック領域に対応する画像データ態様と選択されないブロック領域に対応するその画像データ態様との間の態様に変更する処理を実行する構成も可能である。
【発明の効果】
【００２０】
このような本発明に係る画像形成装置および画像形成プログラムでは、画像データを複数のブロック領域に対応付けて表示し、任意のブロック領域の選択と、選択されたそのブロック領域に対応する画像データの画像態様の変更選択とを受付け、選択されたそのブロック領域に対応する画像データをその選択された画像態様に変更処理して表示し、この変更画像データが確定選択されたとき画像態様の変更された当該変更画像データでもって変更前の画像データ部分を置換えるから、印刷前に画像をプレビューして態様を変更してから印刷可能で、所望の期待した印刷態様を得ることが容易で、構成も簡単である。
【００２１】
本発明において、選択されたブロック領域を拡大表示し、この拡大表示されたブロック領域に対応する画像データの画像態様の変更選択を受付ける構成では、選択されたブロック領域の画像が拡大され、確認が極めて容易である。
【００２２】
本発明において、その画像態様の変更選択として色変更の選択を受付けて色変更を処理する構成では、選択したブロック領域における画像の色態様を変更してプレビューし、確認してから印刷等することが可能である。
【００２３】
本発明において、その画像態様の変更選択として大きさ変更の選択を受付けて大きさ変更を処理する構成では、選択したブロック領域における画像の大小態様を変更してプレビューし、確認してから印刷等することが可能である。
【００２４】
本発明において、その画像選択処理による再選択に基づき画像態様の再変更処理を行う構成では、その画像態様の変更選択と変更処理を複数回行うことが可能で、所望の期待した印刷態様をより一層得ることが容易である。
【００２５】
本発明において、選択されたブロック領域中の境界ブロックに対応する画像データの態様変更を、その周囲のブロック領域の中間態様に変更する構成では、変更処理した画像とこの周囲の画像との違いを小さく抑えることが可能である。
【発明を実施するための最良の形態】
【００２６】
以下、本発明に係る画像形成装置および画像形成プログラムの実施の形態を図面を参照して説明する。なお、画像形成プログラムは画像形成装置を説明する過程で説明する。
【００２７】
図１は本発明に係る画像形成装置の実施の形態を示す概略ブロック図である。
【００２８】
図１において、本発明の画像形成装置は例えば複写機や複合機であり、制御部１を中心にして、画像読取部３、記憶部５、画像表示部７、画像選択部９、画像処理部１１、印刷部１３を有している。制御部１の機能は後述する。
【００２９】
画像読取部３は、制御部１の制御の下、例えば印刷された複数頁の原稿から画像を光学的に読み込み、フィルタ処理、変倍処理および階調処理等をして電子的画像データを生成する公知のスキャナー等であり、生成した画像データが原稿の頁毎に記憶部５に順次記憶されるようになっている。
【００３０】
画像読取部３は、複数頁の原稿を自動的に給紙読み込む自動給紙機構を有する場合もあるが、公知のものであるから図示および説明を省略する。
【００３１】
記憶部５は、制御部１の制御の下、画像読取部３や画像表示部７からの画像データ、画像処理部１１からの変更画像データや印刷画像イメージデータその他を読み書き可能に格納する例えばハードディスク（ＨＤＤ）である。
【００３２】
画像表示部７は、画像形成装置の本体ケース（図示せず）に配置されたタッチパネル式の液晶ディスプレイ等であり、制御部１の制御の下、例えば図２Ａに示すように、生成した画像データを表示する機能を有している。
【００３３】
表示される画像は、当初、制御部１の制御によって記憶部５から画像データの第１頁が表示されるが、後述する画像選択部９からの選択指示信号によって前後の頁が切換え表示される。
【００３４】
画像表示部７は、図２Ａに示すように、記憶部５からの画像データを、複数のブロック領域に対応付けて表示する機能を有している。
【００３５】
図２Ａにおいて、符号１１〜１６、２１〜２６、３１〜３６、４１〜４６、５１〜５６、６１〜６６は、画像表示部７の表示面を縦横等間隔に分けたブロック領域を示すものであり、表示される画像データは３６個のブロック領域１１〜６６の何れかに属することになる。
【００３６】
画像表示部７は、ブロック領域１１〜６６の何れかにタッチすることにより、タッチされたブロック領域１１〜６６が多少暗くなるよう変化制御されるとともに、これらが選択されたことを示す選択信号が制御部１に出力されるようになっている。すなわち、画像表示部７は、画像選択部９としても機能する。
【００３７】
例えば、図２Ｂに示すように、ブロック領域１４、１５、１６、２４、２５、２６、３４、３５、３６をタッチすることにより、これらブロック領域１４〜３６が選択されて多少暗く変化制御される。
【００３８】
画像表示部７は、画像選択部９の選択指示に基づく制御部１の制御の下、図２Ｂに示すように、選択されたブロック領域１４〜３６に対応する画像データを、同図Ｃのように複数のブロック領域に対応付けて細分化表示（拡大表示）する機能を有している。図２Ｃにおいては、便宜上、同図Ａ、Ｂに示すブロック領域１１〜６６の細分化領域をブロック領域ＡＡ〜ＦＦで示す。
【００３９】
画像表示部７は、画像処理装置の動作上の表示、その他を表示する機能も有するが、本発明の要部ではないので説明および図示を省略する。
【００４０】
画像選択部９は、例えば画像表示部７としてのタッチパネル式の液晶ディスプレイに連続又は近傍して形成されたタッチパネル式の液晶ディスプレイ等であり、例えば図３に示すように、「画像読込」キー、「取消」キー、「確定」キー、「印刷」キー、「中止」キー、「等倍」キー、「拡大」キー、「縮小」キー、「次頁」キー、「前頁」キー、「画質（濃）」キー、「画質（薄）」キー等を有し、制御部１によって動作制御される。
【００４１】
個々の画像領域キーをタッチすることにより選択等を受付け、表示された選択項目を指示する指示信号が制御部１に出力されるようになっている。
【００４２】
なお、それら画像表示部７および画像選択部９によって操作部１５が形成されている。
【００４３】
画像選択部９は、画像表示部７に表示された画像データに対して「確定」キーの選択を受付けたとき、制御部１を介し、当該画像態様の変更された後述する変更画像データによって変更前のオリジナル画像データ部分を置換えて記憶部５に記憶制御する機能を有している。
【００４４】
画像処理部１１は、制御部１の制御の下、上述した指示信号に基づき、記憶部５に記憶された画像データ中の選択ブロック領域に対応する画像データに対し、選択された画像態様に変更処理し、この変更処理された変更画像データを上述したように画像表示部７に出力する機能を有している。
【００４５】
すなわち、画像処理部１１は、画像選択部９で選択されたブロック領域ＡＡ〜ＦＦに対応する画像データを対し、画像選択部９における態様変更選択が「等倍」キーの押下であれば等倍に、「拡大」キーであれば拡大に、「縮小」キーであれば縮小に、「画質（濃）」キーや「画質（薄）」キーであれば画質を濃くしたり薄くする変更処理し、変更画像データを画像表示部７のブロック領域ＡＡ〜ＦＦに表示する機能を有している。
【００４６】
画像選択部９における変更選択が「印刷」キー、「次頁」キー、「前頁」キーであれば、画像処理部１１は文字通りのそれらの処理を実行する機能を有している。
【００４７】
画像処理部１１は、「印刷」キーの押下により、上述した変更画像データを含む画像データを記憶部５から読み出すとともに印刷イメージデータに展開する機能を有し、これを制御部１を介して印刷部１３に出力するようになっている。
【００４８】
画像表示部７では、選択されたブロック領域１１〜ＦＦ数に応じてブロック領域１４〜３６（ＡＡ〜ＦＦ）に拡大表示されるが、当該ブロック領域１４〜３６に対応する印刷イメージデータが作成される。すなわち、図２Ｃの拡大表示は表示のみに使用される訳である。
【００４９】
なお、ブロック領域１４〜３６（ＡＡ〜ＦＦ）の画像態様変更が拡大又は縮小の場合、選択されたブロック領域１４〜３６に収まるように画像データが処理されて表示される場合、一部が切り捨てられたり余白が追加される場合がある。
【００５０】
印刷部１３は、制御部１の制御の下、印刷画像イメージデータからレーザー光で静電潜像を形成し、この静電潜像によってトナー現像処理し、搬送された印刷用紙にトナー現像を転写するとともにトナー定着させ、その印刷用紙を排紙するカラー又はモノクロ印刷エンジンとして機能している。
【００５１】
制御部１は、画像読取部３、記憶部５、画像表示部７、画像選択部９、画像処理部１１および印刷部１３を制御するもので、制御演算機能の主要部をなすＣＰＵやこのＣＰＵの動作ソフトウエアを格納したＲＯＭを有してなり、それら画像表示部７、画像選択部９、画像処理部１１および印刷部１３の一部を実現するものである。
【００５２】
すなわち、制御部１は、画像表示部７に表示された画像データ中、選択されたブロック領域１４〜３６に対応する画像データを画像表示部７に拡大表示制御し、これが選択確定されると選択画像データを画像処理部１１に送り、態様変換された変更画像データを画像表示部７で表示制御する機能や、画像処理部１１で展開作成された印刷画像イメージデータを印刷部１３に送付制御する機能を有している。
【００５３】
次に、本発明に係る画像処理装置の動作を図４のフローチャートを参照して概略を説明する。
【００５４】
図４のようにプログラムが開始されると、ステップＳ１にて印刷原稿から画像読取部３による画像データの読取り処理、記憶部５への記憶処理および画像表示部７による表示処理が実行され、ステップＳ２にて表示画像の印刷又は画像態様変更等の別を受付けて判別処理が実行される。
【００５５】
ステップＳ２にて、画像選択部９からの表示画像の印刷を受付けたときは、態様変更せずにステップＳ８への移行処理を実行し、表示画像の態様変更の確定を受付けたときはステップＳ３への移行処理を実行し、中止を受付けたときはそのまま終了する。
【００５６】
ステップＳ３では、画像表示部７におけるブロック領域の選択受付け処理を実行し、続くステップＳ４にてブロック領域選択の確認判別の処理を実行し、取消であればステップＳ３へ戻る処理を実行し、確定を受付ければステップＳ５への移行処理を実行し、中止であればそのまま終了する。
【００５７】
ステップＳ５では、選択ブロック領域に対応する画像データについて画像表示部７への拡大表示処理が実行され、ステップＳ６では選択されたブロック領域の画像データに対する態様変更の選択（例えば濃度を濃くする選択）受付け処理を実行する。
【００５８】
続く、ステップＳ７にて態様変更選択の確認判別の処理を実行し、取消であれば再びステップＳ５へ戻る処理を実行し、確定を受付ければステップＳ８への移行処理を実行し、中止であればそのまま終了する。
【００５９】
ステップＳ８では、選択されたブロック領域に対応する画像濃度を濃くする処理および変更画像データの表示処理が実行され、ステップＳ９では表示態様の確認判別が実行される。
【００６０】
ステップＳ９では、取消の受付であればステップＳ５又はステップＳ８への移行処理を実行し、確定を受付ればステップＳ１０への移行処理を実行し、中止を受付れば終了し、ステップＳ１０で印刷処理を実行して終了する。
【００６１】
これらの動作処理が本発明の画像形成プログラムの主要部となっている。
【００６２】
このように、本発明に係る画像形成装置では、画像データを複数のブロック領域１１〜６６に対応付けて表示する画像表示部７と、任意のそのブロック領域１４〜３６の選択と選択されたブロック領域１４〜３６に対応する画像データの例えば画像濃度の上昇変更選択とを受付ける画像選択部９と、選択されたそのブロック領域に対応する画像データを選択された画像濃度を上昇変更処理して画像表示部７に表示する画像処理部１１とを具備し、その画像選択部１１では、その画像表示部７に表示された変更画像データが確定選択されたとき、画像濃度の変更された当該変更画像データで変更前の画像データ部分を置換える構成となっている。
【００６３】
そのため、印刷前に画像データをブロック領域単位で部分的に表示するとともに選択可能となり、その選択されたブロック領域に対応する画像の例えば濃度を上昇変更して印刷することが可能で、印刷前の画質を確認して所望の期待した印刷態様を得ることが容易となるうえ、デジタイザーや座標入力ペン等の入出力装置を必要とせず、構成も簡単である。
【００６４】
さらに、画像選択部７と画像表示部９で操作部１５を形成するから、構成や処理が簡素化される。
【００６５】
しかも、画像選択部９で選択されたブロック領域のみの部分的な画質変換が可能で、画像データ全体の画質変換を行わないから、データ量を抑えることが可能であるし、画像転写用トナーの消費量を抑えることが可能である。
【００６６】
そして、本発明の画像形成装置では、画像選択部９で選択されたブロック領域のみの部分的な画像濃度の上昇や低下変更等の色変更に限らず、カラー色彩等の色変更も可能であるし、拡大や縮小等の大きさ変更も可能である。これに合わせて画像選択部９および画像処理部１１を形成すれば良く、要は、画像データの画像態様の変更が可能である。
【００６７】
また、本発明の画像形成装置では、１回の画像選択や変更処理に限らず、画像データの表示と選択を複数回繰り返す構成も可能である。
【００６８】
ところで、本発明の画像形成装置において、選択されたそのブロック領域中の境界ブロック領域１４、１５、１６、２４、２６、３４、３５、３６に対応する画像データの態様変更を、選択された他のブロック領域２５に対応する画像データ態様と、選択されない境界ブロック領域１３、２３、３３、４４、４５、４６に対応する画像データ態様との間の態様に変更する、例えば中間の濃度変更に補正する構成とすれば、変更処理した画像とこの周囲の画像との違いを小さく抑えることが可能である。これに対応するよう画像処理部１１を形成すれば良い。
【００６９】
また、本発明の画像形成装置において、画像データの態様変更が１種類に限定されず、濃度と拡大（縮小）を組合わせる等、複数の態様変更を同時に選択可能である。
【００７０】
他方、本発明の画像形成プログラムでは、画像データについて複数のブロック領域に対応付けられた画像データの画像態様を変更処理する画像処理用コンピュータに、その画像データを複数のブロック領域に対応付けて表示する画像表示処理と、任意のブロック領域の選択と、選択されたそのブロック領域に対応する前記画像データの画像態様の変更選択とを受付ける画像選択処理と、選択されたそのブロック領域に対応する画像データを選択された画像態様に変更処理して表示する画像処理と、表示された画像データが確定選択されたとき画像態様の変更された当該画像データを変更前の画像データに置換え制御する画像置換処理とを実行させれば、上述した本発明の画像形成装置と同様な効果を得ることが可能であり、種々の応用構成も画像形成装置と同様に可能である。
【００７１】
さらに、本発明においては、複写機等の機械本体内で実施する以外に、上述した本発明の構成要素をネットワークで接続された複写機（複合機）およびパソコン等に分散配置する構成も可能である。
【図面の簡単な説明】
【００７２】
【図１】本発明に係る画像形成装置の実施の一形態を示す概略ブロック図である。
【図２】図１の画像表示部を示す図である。
【図３】図１の画像選択部を示す図である。
【図４】本発明の画像形成装置の動作を説明するフローチャート図である。
【符号の説明】
【００７３】
１  制御部
３  画像読取部
５  記憶部
７  画像表示部
９  画像選択部
１１  画像処理部
１３  印刷部
１５  操作部
【図１】
2008172666.tif 000003
【図２】
2008172666.tif 000004
【図３】
2008172666.tif 000005
【図４】
2008172666.tif 000006